(57)【要約】      （修正有）【課題】スライドドアを開く際に、スライドドアと側方開口部の後縁部との間に形成される隙間に異物が挟み込まれてしまう事態を防止する。【解決手段】車体側面に形成された側方開口部が、スライドドア２０によって開閉される。側方開口部の後縁部には、車幅方向内方側に凹となった濡れ縁部１５が形成されて、この濡れ縁部１５に遮蔽部材３０が配設される。スライドドア２０を閉位置から開位置に向けて変位させたとき、遮蔽部材３０が車幅方向に伸びる作動位置とされて、スライドドア２０と側方開口部の後縁部３との間に形成される隙間Ｓを遮蔽する。【選択図】図４
2008297840.tif 000002
【特許請求の範囲】
【請求項１】
車体側面に形成された側方開口部を覆う閉位置と、該閉位置から一旦車幅方向外方側に変位された後車体外側面に沿って後方へ移動されることにより該側方開口部を開いた開位置と、をとり得るようにされたスライドドアを備え、
前記側方開口部の後縁部が、それぞれ上下方向に伸びて前方に臨む後縁前面部と該後縁前面部の車幅方向内方側端から前方へ伸びる後縁側面部とを有して、該後縁前面部と後縁側面部とで車体内方側に向けて凹となった濡れ縁部を構成しており、
前記濡れ縁部には、前記スライドドアを前記閉位置から開位置に向けて変位させたとき、車幅方向に伸びて該スライドドアの車幅方向内方側面と前記側方開口部の後縁部との間に形成される隙間を遮蔽するように作動される遮蔽部材が配設されている、
ことを特徴とするスライドドアの挟み込み防止構造。
【請求項２】
請求項１において、
前記遮蔽部材は、前記スライドドアの閉位置から開位置に向けての変位に連動して該隙間を遮蔽するように作動される、ことを特徴とするスライドドアの挟み込み防止構造。
【請求項３】
請求項１または請求項２において、
前記遮蔽部材は、上下方向に伸びる板状とされ、
前記遮蔽部材は、前記作動位置にあるときの車幅方向内方側端部が上下方向に伸びる揺動軸線回りに揺動可能として車体に保持されて、その揺動に応じて前記濡れ縁部の後縁側面部に沿って前後方向に伸びる収納位置と前記作動位置とをとり得るようにされ、
前記遮蔽部材を、前記作動位置に向けて付勢する付勢手段が設けられ、
前記スライドドアが前記閉位置から開位置に向けて変位されたときに、前記遮蔽部材は前記付勢手段によって前記作動位置に向けて揺動される一方、該スライドドアを該開位置から該閉位置に向けて変位させたときに、該スライドドアに押圧されて前記収納位置とされる、
ことを特徴とするスライドドアの挟み込み防止構造。
【請求項４】
請求項３において、
前記遮蔽部材は、前記作動位置とされたときの車幅方向外端側の形状が、前記スライドドアの車幅方向内方側面の形状に沿う形状に設定されている、ことを特徴とするスライドドアの挟み込み防止構造。
【請求項５】
請求項４において、
前記スライドドアの車幅方向内方側面には、アームレストが突出形成されており、
前記遮蔽部材のうち前記作動位置とされたときの車幅方向外端側に、前記アームレストに対応した形状の切欠部が形成されている、
ことを特徴とするスライドドアの挟み込み防止構造。
【発明の詳細な説明】
【技術分野】
【０００１】
本発明は、スライドドアの挟み込み防止構造に関するものである。
【背景技術】
【０００２】
車両、例えば１ボックスカー等の自動車においては、後席の乗員の乗り降りのために車体側面に形成された側方開口部の開閉を、スライドドアによって行うようにしたものがある。このスライドドアは、側方開口部を閉じる閉位置から、一旦車幅方向外方側に変位された後、車体外側面に沿って後方へ変位されることにより、側方開口部を開いた開位置とされる。
【０００３】
スライドドアを閉位置から開位置とする際に、スライドドアの車幅方向内方側面と側方開口部の後縁部との間には、車幅方向において少なからず隙間が形成されることになる。特許文献１には、スライドドアに設けた感圧センサによって、上記隙間に異物が挟み込まれたことを検出することが開示されている。そして、特許文献１には、異物の挟み込みを検出した際には、スライドドアの駆動を中止したり、挟み込みが解除される方向にスライドドアを駆動させることも開示されている。また、特許文献２には、スライドドアが開位置から閉位置へと変位されるときに、スライドドアの前縁部に設けた感圧センサによって異物の挟み込みを検出するものが開示されている（スライドドアと側方開口部の前縁部との間での挟み込み検出）。
【０００４】
【特許文献１】特開２００７−５６５２２号公報
【特許文献２】特開平１１−１８２１３６号公報
【発明の開示】
【発明が解決しようとする課題】
【０００５】
前述した特許文献１，特許文献２に記載の技術は、いずれも、異物の挟み込みを検出するものであって、異物の挟み込みそのものを防止するものとはなっていない。
【０００６】
本発明は以上のような事情を勘案してなされたもので、その目的は、スライドドアを閉位置から開位置へと変位させる際に、スライドドアと側方開口部の後縁部との間に形成される隙間に異物が挟み込まれてしまう事態を防止できるようにしたスライドドアの挟み込み防止構造を提供することにある。
【課題を解決するための手段】
【０００７】
前記目的を達成するため、本発明にあっては次のような解決手法を採択してある。すなわち、特許請求の範囲における請求項１に記載のように、
車体側面に形成された側方開口部を覆う閉位置と、該閉位置から一旦車幅方向外方側に変位された後車体外側面に沿って後方へ移動されることにより該側方開口部を開いた開位置と、をとり得るようにされたスライドドアを備え、
前記側方開口部の後縁部が、それぞれ上下方向に伸びて前方に臨む後縁前面部と該後縁前面部の車幅方向内方側端から前方へ伸びる後縁側面部とを有して、該後縁前面部と後縁側面部とで車体内方側に向けて凹となった濡れ縁部を構成しており、
前記濡れ縁部には、前記スライドドアを前記閉位置から開位置に向けて変位させたとき、車幅方向に伸びて該スライドドアの車幅方向内方側面と前記側方開口部の後縁部との間に形成される隙間を遮蔽するように作動される遮蔽部材が配設されている、
ようにしてある。上記解決手法によれば、スライドドアを閉位置から開位置に向けて変位させたとき、遮蔽部材が車幅方向に伸びる作動位置とされて、スライドドアと側方開口部の後縁部との間に形成される隙間を遮蔽するので、車室内側にある物体が異物として上記隙間に挟み込まれてしまう事態が確実に防止されることになる。また、遮蔽部材は、凹となった濡れ縁部という空間を有効に利用して配設してあるので、遮蔽部材のために特別のスペースを確保する必要がないものとなる。
【０００８】
上記解決手法を前提とした好ましい態様は、特許請求の範囲における請求項２以下に記載のとおりである。すなわち、
前記遮蔽部材は、前記スライドドアの閉位置から開位置に向けての変位に連動して該隙間を遮蔽するように作動される、ようにしてある（請求項２対応）。この場合、スライドドアの閉位置から開位置へ向けて変位に連動して、つまり隙間が形成されることに連動して遮蔽部材が作動位置とされるので、隙間が形成された場合に確実に遮蔽部材によって遮蔽することができる。
【０００９】
前記遮蔽部材は、上下方向に伸びる板状とされ、
前記遮蔽部材は、前記作動位置にあるときの車幅方向内方側端部が上下方向に伸びる揺動軸線回りに揺動可能として車体に保持されて、その揺動に応じて前記濡れ縁部の後縁側面部に沿って前後方向に伸びる収納位置と前記作動位置とをとり得るようにされ、
前記遮蔽部材を、前記作動位置に向けて付勢する付勢手段が設けられ、
前記スライドドアが前記閉位置から開位置に向けて変位されたときに、前記遮蔽部材は前記付勢手段によって前記作動位置に向けて揺動される一方、該スライドドアを該開位置から該閉位置に向けて変位させたときに、該スライドドアに押圧されて前記収納位置とされる、
ようにしてある（請求項３対応）。この場合、遮蔽部材を板状として、遮蔽部材そのものを簡単な構造とする上で、また極力大きな体積を占めないようにする上で好ましいものとなる。また、揺動と付勢手段とを利用した簡単な構造によって、スライドドアの開閉に連動して遮蔽部材を収納位置と作動位置との間で自動的に切替えることができる。
【００１０】
前記遮蔽部材は、前記作動位置とされたときの車幅方向外端側の形状が、前記スライドドアの車幅方向内方側面の形状に沿う形状に設定されている、ようにしてある（請求項４対応）。この場合、開位置に向けて変位されるスライドドアと作動位置にある遮蔽部材との干渉を防止しつつ、隙間を車幅方向の極力長い範囲に渡って遮蔽する上で好ましいものとなる。
【００１１】
前記スライドドアの車幅方向内方側面には、アームレストが突出形成されており、
前記遮蔽部材のうち前記作動位置とされたときの車幅方向外端側に、前記アームレストに対応した形状の切欠部が形成されている、
ようにしてある（請求項５対応）。この場合、閉位置にあるスライドドアのアームレストを乗員に利用させつつ、アームレストと遮蔽部材との干渉を防止することができる。また、スライドドアを開位置に向けて変位させる際には、アームレストの分だけスライドドアをより大きく車幅方向外方側に変位させた状態で行う必要性があることから、隙間が車幅方向にかなり大きくなるが、遮蔽部材によって車幅方向に大きな隙間を遮蔽して、挟み込みを確実に防止することができる。
【発明の効果】
【００１２】
本発明によれば、スライドドアを閉位置から開位置へと変位させる際に、スライドドアと側方開口部の後縁部との間に形成される隙間に異物が挟み込まれてしまう事態を防止できる。
【発明を実施するための最良の形態】
【００１３】
図１〜図４において、１は車体であり、そのＢピラー（センタピラー）が符合２で示され、Ｂピラー２の直後方に位置されるＣピラーが符合３で示され、Ｃピラー３の直後方に位置される最後方のＤピラーが符合４で示される。
【００１４】
特に図３から理解されるように、車体側面には、Ｂピラー２とＣピラー３との間において、側方開口部１０が開口されている。この側方開口部１０は、後席シート（前から２列目のシート）１１を使用する乗員の乗り降り用とされて、その前縁部がＢピラー２で構成され、その後縁部Ｃピラー３で構成され、その下縁部がサイドシル１２で構成され、その上縁部がル−フサイドレール（ル−フパネルの車幅方向外端部）１３で構成されている。
【００１５】
上記側方開口部１０は、スライドドア２０によって開閉される。すなわち、スライドドア２０は、側方開口部１０を覆う（閉じる）閉位置（図１の状態）と、側方開口部１０を開放した開位置をとり得るようになっている。より具体的には、スライドドア２０は、図１に閉位置から、一旦車幅方向外方側に変位された後、リアフェンダ１４に沿って後方に移動されて、側方開口部１０をほぼ完全に開いた開位置とされる（図１の矢印で示す動き）。図２は、スライドドア２０が、閉位置から、一旦車幅方向外方側に変位されると共に後方へ若干変位された状態が示される。勿論、スライドドア２０は、開位置から閉位置への復帰は、上記閉位置から開位置への動きとは逆の動きとされる。
【００１６】
側方開口部１０の後縁部を構成するＣピラー３は、後縁前面部３ａと、後縁前面部３ａの車幅方向内方側端から前方へ伸びる後縁側面部３ｂとを有する。後縁前面部３ａの車幅方向外方側端は、リアフェンダ１３の前端に連なっている。このように、側方開口部１０の後縁部は、後縁前面部３ａと後縁側面部３ｂとによって、車体外側面を構成するリアフェンダ１４から若干車幅方向内方側に凹となった濡れ縁部１５を構成している。濡れ縁部１５に相当する濡れ縁部は、Ｂピラー２，サイドシル１２，ル−フサイドレール１３の各部分にも形成されているものである。
【００１７】
閉位置にあるスライドドア２０は、濡れ縁部１５に収納されて、スライドドア２０の外側面がリアフェンダ１４と面一に連なるようにされる。換言すれば、濡れ縁部１５（のうち後縁前面部３ａ）の車幅方向内方側へ向けて凹とされる度合（車幅方向寸法）は、スライドドア２０の車幅方向厚さに応じて設定されることになる。また、後縁側面部３ｂの前後方向寸法は、車室内外との間で水切り（縁切り）を行なえる程度の寸法に設定されている。
【００１８】
スライドドア２０の車幅方向内方側面には、アームレスト２１と、アームレスト２１の前方位置においてペットボトル等の小物を収納する収納ボックス２２が突出形成されている。図４に示すように、アームレスト２１は、その上面高さ位置が、後席シート１１のシートクッション１１Ａの座面よりも若干高い位置（シートバック１１Ｂの上下方向略中間位置）となるように設定されている。また、収納ボックス２２の上面高さ位置は、シートクッション１１Ａの座面とほど同程度の高さ位置に設定されているが、その高さ位置は特に問わないものである。
【００１９】
前記濡れ縁部１５には、遮蔽部材３０が配設されている。遮蔽部材３０は、例えば合成樹脂や軽金属によって全体的に剛性を有するようにされており、実施形態では板状でかつ上下方向に伸びている。この遮蔽部材３０は、図２，図３実線で示す車幅方向に伸びる作動位置と、図１，図３一点鎖線で示す収納位置とをとり得るようになっている。遮蔽部材３０は、作動位置では車幅方向に伸びて後縁前面部３ａに沿った状態とされる。また、側壁部３０は、収納位置では、前後方向に伸びて後縁側面部３ｂに沿った状態とされる。
【００２０】
遮蔽部材３０は、作動位置にある状態において、その車幅方向内方側端部を中心に、上下方向に伸びる揺動軸線を中心として揺動可能として車体（Ｃピラー３）に取付けられている。このような遮蔽部材３０は、後述するように、作動位置に向けて付勢されている。これにより、スライドドア２０が閉位置から開位置へと変位されるのに連動して、自動的に作動位置へ向けて揺動される。また、スライドドア２０が開位置から閉位置へと変位されるときは、遮蔽部材３０は、スライドドア２０によって押圧されて、収納位置へと自動復帰される。後述するように、遮蔽部材３０は、車幅方向に伸びる作動位置となった状態からは、それ以上の揺動が規制されるようになっている。
【００２１】
図５には、遮蔽部材３０が収納位置にある状態が示され、図５において、一点鎖線は、アームレスト２１の上面高さ位置でのＣピラー３付近での断面構造を簡略的に示すものである。また、図６は、遮蔽部材３０が作動位置にある状態が示され、一点鎖線は、アームレスト２１の上面高さ位置でのＣピラー３付近での断面構造を簡略的に示すものである。
【００２２】
スライドドア２０が閉位置から開位置に向けて変位されることに起因して、スライドドア２０の車幅方向内方側面とＣピラー３（の車幅方向外方側端）との間に隙間Ｓが形成されることになる（図２，図４，図６参照）。この隙間Ｓが形成されること（スライドドア２０が閉位置から開位置に向けて変位されること）に連動して、遮蔽部材３０が自動的に作動位置となって、この隙間Ｓが前方から遮蔽されることになる。遮蔽部材３０による隙間Ｓの遮蔽範囲は、後席シート１１に着座する乗員に関連した高さ範囲に設定されている。すなわち、シートクッション１１Ａの座面高さ位置から、起立位置にあるシートバック１１Ｂの上端よりも若干引く位置までの範囲について、隙間Ｓを遮蔽部材３０が覆うようになっている。
【００２３】
遮蔽部材３０が存在しない場合は、車室内の異物が、隙間Ｓに侵入して、スライドドア２０の車幅方向内方側面とＣピラー３の車幅方向外端面（ひいてはリアフェンダ１４）との間に挟み込まれてしまうおそれが考えられるが、遮蔽部材３０を設けておくことにより、このような異物の挟み込みが確実に防止されることになる。
【００２４】
特に、図４から明かなように、作動位置にある遮蔽部材３０の車幅方向外端側の形状は、スライドドア２０の車幅方向内方側面の形状（アームレスト２１等の凹凸形状）に対応した形状とされている。具体的には、遮蔽部材３０の車幅方向外方側端には、アームレスト２１に相当する形状の切欠部３０ａが形成されている。これにより、スライドドア２０を閉位置から開位置へ向けて変位させたときに、スライドドア２０と遮蔽部材３０とが干渉されるのが防止されつつ、隙間Ｓがその車幅方向極力広い（長い）範囲に渡って遮蔽部材３０によって覆われることになる。
【００２５】
図７〜図９は、遮蔽部材３０の車体への具体的な組付例を示すものである。まず、作動位置にある遮蔽部材３０の車幅方向内方側端部に相当する位置には、上下方向に伸びる支軸３５が回転自在に保持されている。この支軸３５は、その上下の各端部が、保持ブラケット４０によって回動自在に支持されている。上下の保持ブラケット４０は互いに同一構成とされているので、上方の保持ブラケット４０に着目して、遮蔽部材３０との組付関係について説明する。
【００２６】
まず、保持ブラケット４０は、ボルト等の固定具４１によって車体（濡れ縁部１５）に固定される。この保持ブラケット４０に形成された保持孔４１内に、前記支軸３５が挿入されて、ねじ４４によって支軸３５の保持孔４１からの抜けが規制されている。保持ブラケット４０の下面には、凹部４０ａが形成されて、この凹部４０ａ内に、付勢手段としての渦巻きバネ４３が収納されている。渦巻きバネ４３は、支軸３５を取り巻くように配設されて、その一端は保持ブラケット４０に係止される一方、その他端は遮蔽部材３０に係止されている。このような渦巻きバネ４３によって、遮蔽部材３０は、作動位置に向けて付勢されている。そして、保持ブラケット４０には、ストッパ部４０ｂが下方に向けて突出形成されて、遮蔽部材３０が所定の作動位置を超えてさらに揺動されてしまう事態が規制されるようになっている。ストッパ部４０ｂは、下方の保持ブラケット４０にも形成されていて、上下のストッパ部４０ｂにより、遮蔽部材３０が所定の動位置を超えてさらに揺動されてしまう事態が確実に規制されるようになっている。
【００２７】
遮蔽部材３０が、所定の作動位置を超えてさらに揺動されてしまう事態を防止するために、所定の作動位置にある遮蔽部材３０の直後方に、後縁前面部３ａが位置するように設定することもできる。また、スライドドア２０が特に電動式の場合において、作動位置にある遮蔽部材３０に対して前方側から後方に向けての所定以上の大きな外力が作用したときは、開方向に駆動されている状態のスライドドア２０を停止させるか、あるいは閉位置に向けて若干逆駆動するようにしてもよい。
【００２８】
作動位置にある遮蔽部材３０に後方への所定以上の大きな外力を作用したことを検出するために、例えば図７に示すような感圧スイッチ５０を別途設けるようにしてもよい。すなわち、感圧スイッチ５０としては、例えば、後縁前面部３ａに固定されるケーシング５１と、ケーシング５１に前後方向に変位可能とされた接触子５２と、ケーシング５１内に配設されて接触子５２を前方へ向けて付勢するバネ５３と、ケーシング５１内に配設されて接触子５２が所定以上後方へ変位したときにＯＮとされるスイッチ（図示を略す）とを有する構成とされる。そして、接触子５２が、作動位置にある遮蔽部材３０の直近後方に位置させた配置態様とされる。上記バネ５３の付勢力は、渦巻きバネ４３の付勢力よりも十分に大きいものとして設定されている。これにより、作動位置にある遮蔽部材３０に対して、車室内側から所定以上の大きな後方への外力が作用すると、感圧スイッチ５０がＯＮとなって、遮蔽部材３０に後方へ大きな外力が作用していることが検出される。
【００２９】
以上実施形態について説明したが、本発明は、実施形態に限定されるものではなく、特許請求の範囲の記載された範囲において適宜の変更が可能であり、例えば次のような場合をも含むものである。遮蔽部材３０は、例えば上下方向の分割構造としてもよく、分割構造とすることにより、後縁前面部３ａの上下方向での形状変化に容易に対応して、隙間Ｓを極力車幅方向の広い範囲に渡って遮蔽する上で好ましいものとなる。勿論、本発明の目的は、明記されたものに限らず、実質的に好ましいあるいは利点として表現されたものを提供することをも暗黙的に含むものである。
【図面の簡単な説明】
【００３０】
【図１】閉位置にあるスライドドアと収納位置にある遮蔽部材とを示す簡略平面図。
【図２】図１の状態から、スライドドアが開位置へ向けて変位された状態を示す簡略平面図。
【図３】側方開口部と遮蔽部材とを示す斜視図。
【図４】スライドドアが開かれることにより形成される隙間を遮蔽部材で遮蔽している状態を示すもので、遮蔽部材を前方側から見たときの図。
【図５】スライドドアが閉位置にある状態での遮蔽部材の収納状態を示す斜視図。
【図６】図５の状態からスライドドアが開かれて、遮蔽部材が作動位置となった状態を示す斜視図。
【図７】遮蔽部材を車体に取付けるための一例を示す要部分解斜視図。
【図８】図７に示される保持ブラケットの斜視図。
【図９】遮蔽部材と保持ブラケットとの組付関係を示す要部側面断面図。
【符号の説明】
【００３１】
１：車体
３：Ｃピラー（側方開口部の後縁部）
３ａ：後縁前面部
３ｂ：後縁側面部
１０：側方開口部
１１：後席シート
１２：サイドシル
１３：ル−フサイドレール
１４：リアフェンダ
１５：濡れ縁部
２０：スライドドア
２１：アームレスト
２２：収納ボックス
３０：遮蔽部材
３０ａ：切欠部
３５：支軸（遮蔽部材の揺動中心）
４０：保持ブラケット
４３：渦巻きバネ（付勢手段）
【図１】
2008297840.tif 000003
【図２】
2008297840.tif 000004
【図３】
2008297840.tif 000005
【図４】
2008297840.tif 000006
【図５】
2008297840.tif 000007
【図６】
2008297840.tif 000008
【図７】
2008297840.tif 000009
【図８】
2008297840.tif 000010
【図９】
2008297840.tif 000011